Podtech/llm-jp-corpus-v4-ja_patent huggingface dataset:
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
第１留め具を保持して第２留め具に位置合わせするための真空位置合わせツールであって、
前記第１留め具の少なくとも一部を受容するように構成された開口を有する端壁を含む本体と、
前記本体に接続された真空受け部と、を含み、前記真空受け部には真空穴が形成されており、前記本体及び前記真空受け部の内部における、前記開口と前記真空穴との間には真空経路が延びている、真空位置合わせツール。
【請求項２】
前記本体は、前記第１留め具を受容するように構成された本体穴を含み、当該本体穴は、前記本体の遠位端から前記端壁まで延びている、請求項１に記載の真空位置合わせツール。
【請求項３】
前記本体穴及び前記開口は同心状である、請求項２に記載の真空位置合わせツール。
【請求項４】
前記本体穴と前記真空穴との間に設けられた内壁を更に含み、前記真空経路は、前記内壁を貫通している、請求項２又は３に記載の真空位置合わせツール。
【請求項５】
前記真空経路は、前記端壁に設けられた第１部分と、前記真空受け部に設けられた第２部分とを含む、請求項１〜４のいずれかに記載の真空位置合わせツール。
【請求項６】
前記第１部分は、前記第２部分に対して実質的に垂直である、請求項５に記載の真空位置合わせツール。
【請求項７】
前記本体及び前記真空受け部は、実質的に円筒状であり、前記真空受け部は、前記本体に対して実質的に垂直に配向されている、請求項１〜６のいずれかに記載の真空位置合わせツール。
【請求項８】
前記端壁は、前記真空経路を少なくとも部分的に形成するカバーを含む、請求項１〜７のいずれかに記載の真空位置合わせツール。
【請求項９】
第１留め具を第２留め具に接続するように構成された締結ツールと、
前記締結ツールに接続された真空位置合わせツールと、を含む締結システムであって、前記真空位置合わせツールは、
前記第１留め具の少なくとも一部を受容するように構成された開口を有する端壁を含む本体と、
前記本体に接続された真空受け部と、を含み、前記真空受け部には真空穴が形成されており、前記開口と前記真空穴との間には真空経路が設けられており、
前記真空受け部に接続されるとともに、前記真空経路を介して吸引力を加えて、少なくとも前記開口内における前記第１留め具の前記一部を保持するように構成された真空源を更に含む、締結システム。
【請求項１０】
前記本体は、前記第１留め具を受容するように構成された本体穴を含み、当該本体穴は、前記本体の遠位端から前記端壁まで延びている、請求項９に記載の締結システム。
【請求項１１】
前記本体穴及び前記開口は同心状である、請求項１０に記載の締結システム。
【請求項１２】
前記本体穴と前記真空穴との間に設けられた内壁を更に含み、前記真空経路は、前記内壁を貫通している、請求項１０又は１１に記載の締結システム。
【請求項１３】
前記真空経路は、前記端壁に設けられた第１部分と、前記真空受け部に設けられた第２部分とを含み、前記第１部分は、前記第２部分に対して実質的に垂直である、請求項９〜１２のいずれかに記載の締結システム。
【請求項１４】
締結ツールと、真空位置合わせツールと、真空源とを含む締結システムを用いて、第１留め具を第２留め具に接続する方法であって、
前記真空位置合わせツールの本体に設けられた本体穴の内部に前記第１留め具を配置し、
前記真空源を起動して、前記真空位置合わせツールに設けられた真空経路を介して、前記第１留め具に吸引力を加え、
前記第２留め具の周りに前記第１留め具を配置する、ことを含む、方法。
【請求項１５】
更に、前記第１留め具を前記第２留め具に位置合わせすることを含み、前記第１留め具及び第２留め具は同心状である、請求項１４に記載の方法。
【請求項１６】
更に、前記真空源を、前記真空位置合わせツールの真空受け部に設けられた真空穴に接続する、請求項１４又は１５に記載の方法。
【請求項１７】
前記第１留め具を配置するに際して、前記第１留め具の少なくとも一部を、前記本体の端壁に設けられた開口内に配置する、請求項１４〜１６のいずれかに記載の方法。
【請求項１８】
前記真空源を起動するに際して、前記端壁に設けられるとともに、前記開口と流体連通する前記真空経路の第１部分、及び、前記真空位置合わせツールにおいて前記真空源に接続された真空受け部に設けられた前記真空経路の第２部分、を介して前記吸引力を加える、請求項１７に記載の方法。
【請求項１９】
更に、前記第１留め具が、前記第２留め具の周りに配置された後に、前記真空源の動作を停止する、請求項１４〜１８のいずれかに記載の方法。
【請求項２０】
更に、前記第２留め具を前記締結ツールに係合させて、前記第１留め具を前記第２留め具に接続する、請求項１４〜１９のいずれかに記載の方法。
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
外部からの電波を受信することで現在位置を取得する現在位置取得部と、前記現在位置取得部で取得された現在位置情報を媒体に印刷する印刷部と、を備えることを特徴とする現在地表示媒体作成装置。
【請求項２】
前記現在位置情報には、国際規格によって定められたグリッド地図情報が含まれることを特徴とする請求項１に記載の現在地表示媒体作成装置。
【請求項３】
前記現在位置取得部は、ＧＰＳ受信部であり、前記ＧＰＳ受信部で取得したＧＰＳ情報を前記グリッド地図情報に変換する変換部を備えていることを特徴とする請求項２に記載の現在地表示媒体作成装置。
【請求項４】
前記媒体は、表示面と該表示面の裏側に設けられる貼り付け面を有し、貼り付け面は接着性を発現可能な構成であることを特徴とする請求項１から請求項３のいずれか一項に記載の現在地表示媒体作成装置。
【請求項５】
前記媒体は、設置場所であり、前記印刷部は、前記設置場所に直接印刷することを特徴とする請求項１から請求項４のいずれか一項に記載の現在地表示媒体作成装置。
【請求項６】
前記印刷部は、液滴を吐出して印刷することを特徴とする請求項５に記載の現在地表示媒体作成装置。
【請求項７】
前記媒体は、テープとインクリボンが一体化したテープカートリッジで構成され、前記テープカートリッジの前記テープに前記インクリボンを介して印刷することを特徴とする請求項１から請求項４のいずれか一項に記載の現在地表示媒体作成装置。
【請求項８】
バッテリーを内蔵し、前記バッテリーで駆動可能であることを特徴とする請求項１から請求項７のいずれか一項に記載の現在地表示媒体作成装置。
【手続補正２】
【補正対象書類名】明細書
【補正対象項目名】０００６
【補正方法】変更
【補正の内容】
【０００６】
前記目的を達成するために、本発明に係る現在地表示媒体作成装置は、外部からの電波を受信することで現在位置を取得する現在位置取得部と、前記現在位置取得部で取得された現在位置情報を媒体に印刷する印刷部と、を備えることを特徴とする。
本発明によれば、現在地表示媒体作成装置の現在位置情報が印刷された現在地表示媒体を作成することができる。これにより、例えば、現在地表示媒体の設置場所において現在地表示媒体作成装置を使って現在地表示媒体を印刷することができ、誤った場所に現在地表示媒体を設置することが防止される。
【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
静止画撮影及び動画撮影に対応する放射線源を備え、前記放射線源により被写体に静止画撮影又は動画撮影を行って画像データを取得する放射線撮影システムであって、
色、画面デザイン、音、振動のうち少なくとも一つにより、実施すべき撮影が静止画撮影であるか動画撮影であるかを報知する報知手段を備える放射線撮影システム。
【請求項２】
前記報知手段は、検査で実施すべき撮影に関する情報を含む検査オーダー情報の一覧が表示された検査リスト画面において動画撮影が含まれている検査オーダー情報を静止画撮影のみの検査オーダー情報とは異なる色で色分けして表示する請求項１に記載の放射線撮影システム。
【請求項３】
検査開始を指示するための指示手段を備え、
前記報知手段は、前記指示手段により開始が指示された検査に動画撮影が含まれている場合に、所定の音を出力する請求項１又は２に記載の放射線撮影システム。
【請求項４】
前記報知手段は、検査中にその検査で実施すべき各撮影に関する情報を表示する検査画面に表示される各撮影に関する情報を、各撮影が静止画撮影であるか動画撮影であるかに応じた色で表示するか、又は、各撮影に関する情報に、各撮影が静止画撮影であるか動画撮影であるかに応じたアイコンを対応付けて表示する請求項１〜３の何れか一項に記載の放射線撮影システム。
【請求項５】
前記報知手段は、撮影室内に設けられた表示装置に、次に実施すべき撮影が静止画撮影であるか動画撮影であるかに応じた色又は画面デザインを表示する請求項１〜４の何れか一項に記載の放射線撮影システム。
【請求項６】
前記報知手段は、前記放射線源に放射線照射を指示するための曝射スイッチを次に実施すべき撮影が静止画撮影であるか動画撮影であるかに応じた色で表示する請求項１〜５の何れか一項に記載の放射線撮影システム。
【請求項７】
前記報知手段は、前記放射線源に放射線照射を指示するための曝射スイッチが押下された場合に、この曝射スイッチの押下によって実施すべき撮影が静止画撮影であるか動画撮影であるかに応じた音及び／又は振動を出力する請求項１〜６の何れか一項に記載の放射線撮影システム。
【請求項８】
前記報知手段は、前記放射線源に放射線照射を指示するための曝射スイッチが押下された場合に、この曝射スイッチの押下に応じて実施すべき撮影が静止画撮影であるか動画撮影であるかに応じて前記放射線源に放射線照射を指示するまでの遅延時間を変更する請求項７に記載の放射線撮影システム。
【請求項９】
検査で実施すべき撮影が静止画撮影であるか動画撮影であるかを選択するための選択手段を備える請求項１〜８の何れか一項に記載の放射線撮影システム。
【手続補正２】
【補正対象書類名】明細書
【補正対象項目名】０００６
【補正方法】変更
【補正の内容】
【０００６】
上記課題を解決するため、請求項１に記載の発明は、
静止画撮影及び動画撮影に対応する放射線源を備え、前記放射線源により被写体に静止画撮影又は動画撮影を行って画像データを取得する放射線撮影システムであって、
色、画面デザイン、音、振動のうち少なくとも一つにより、実施すべき撮影が静止画撮影であるか動画撮影であるかを報知する報知手段を備える。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２に記載の発明は、請求項１に記載の発明において、
前記報知手段は、検査で実施すべき撮影に関する情報を含む検査オーダー情報の一覧が表示された検査リスト画面において動画撮影が含まれている検査オーダー情報を静止画撮影のみの検査オーダー情報とは異なる色で色分けして表示する。
【手続補正５】
【補正対象書類名】明細書
【補正対象項目名】０００９
【補正方法】変更
【補正の内容】
【０００９】
請求項３に記載の発明は、請求項１又は２に記載の発明において、
検査開始を指示するための指示手段を備え、
前記報知手段は、前記指示手段により開始が指示された検査に動画撮影が含まれている場合に、所定の音を出力する。
【手続補正６】
【補正対象書類名】明細書
【補正対象項目名】００１０
【補正方法】変更
【補正の内容】
【００１０】
請求項４に記載の発明は、請求項１〜３の何れか一項に記載の発明において、
前記報知手段は、検査中にその検査で実施すべき各撮影に関する情報を表示する検査画面に表示される各撮影に関する情報を、各撮影が静止画撮影であるか動画撮影であるかに応じた色で表示するか、又は、各撮影に関する情報に、各撮影が静止画撮影であるか動画撮影であるかに応じたアイコンを対応付けて表示する。
【手続補正７】
【補正対象書類名】明細書
【補正対象項目名】００１１
【補正方法】変更
【補正の内容】
【００１１】
請求項５に記載の発明は、請求項１〜４の何れか一項に記載の発明において、
前記報知手段は、撮影室内に設けられた表示装置に、次に実施すべき撮影が静止画撮影であるか動画撮影であるかに応じた色又は画面デザインを表示する。
【手続補正８】
【補正対象書類名】明細書
【補正対象項目名】００１２
【補正方法】変更
【補正の内容】
【００１２】
請求項６に記載の発明は、請求項１〜５の何れか一項に記載の発明において、
前記報知手段は、前記放射線源に放射線照射を指示するための曝射スイッチを次に実施すべき撮影が静止画撮影であるか動画撮影であるかに応じた色で表示する。
【手続補正９】
【補正対象書類名】明細書
【補正対象項目名】００１３
【補正方法】変更
【補正の内容】
【００１３】
請求項７に記載の発明は、請求項１〜６の何れか一項に記載の発明において、
前記報知手段は、前記放射線源に放射線照射を指示するための曝射スイッチが押下された場合に、この曝射スイッチの押下によって実施すべき撮影が静止画撮影であるか動画撮影であるかに応じた音及び／又は振動を出力する。
【手続補正１０】
【補正対象書類名】明細書
【補正対象項目名】００１４
【補正方法】変更
【補正の内容】
【００１４】
請求項８に記載の発明は、請求項７に記載の発明において、
前記報知手段は、前記放射線源に放射線照射を指示するための曝射スイッチが押下された場合に、この曝射スイッチの押下に応じて実施すべき撮影が静止画撮影であるか動画撮影であるかに応じて前記放射線源に放射線照射を指示するまでの遅延時間を変更する。
【手続補正１１】
【補正対象書類名】明細書
【補正対象項目名】００１５
【補正方法】変更
【補正の内容】
【００１５】
請求項９に記載の発明は、請求項１〜８の何れか一項に記載の発明において、
検査で実施すべき撮影が静止画撮影であるか動画撮影であるかを選択するための選択手段を備える。
【手続補正書】
【提出日】平成30年4月24日(2018.4.24)
【手続補正１】
【補正対象書類名】特許請求の範囲
【補正対象項目名】請求項４
【補正方法】変更
【補正の内容】
【請求項４】
請求項１〜３のいずれか１項に記載の生体情報取得装置であって、
被検体の脳の表面から電気的及び／又は光学的に生体情報を収集する装置であり、
被検体の頭蓋骨の一部に代えて該頭蓋骨に装着される人工頭蓋骨の内側に前記計測ユニットを保持する保持部を設け、該保持部により前記計測ユニットを人工頭蓋骨と脳との間の間隙に保持するようにしたことを特徴とする生体情報取得装置。
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
ロール紙を収容可能な印刷装置であって、
前記ロール紙に印刷する印刷部と、
前記ロール紙を収容する収容部と、
前記ロール紙の紙幅に応じた取り付けの有無、又は、取り付けの位置により、前記ロール紙の前記収容部における位置を規制する紙ガイドと、
前記紙ガイドの取り付けの状態を検出するセンサーと、
前記ロール紙の紙幅を示す設定値を記憶する記憶部と、
前記記憶部が記憶する前記設定値に基づいて前記印刷部に印刷させ、また、
所定の事象をトリガーとして前記センサーが検出した前記紙ガイドの取り付けの状態が、第１の紙幅の前記ロール紙に対応する取り付けの状態の場合であって、前記設定値が前記第１の紙幅以外の紙幅を示す値の場合、前記設定値を前記第１の紙幅を示す値へと変更する一方、検出した前記紙ガイドの取り付けの状態が前記第１の紙幅以外の紙幅の前記ロール紙に対応する取り付けの状態の場合、前記設定値の値にかかわらず前記設定値を変更しない制御部と、
を備えることを特徴とする印刷装置。
【請求項２】
前記制御部は、
所定の事象をトリガーとして前記センサーが検出した前記紙ガイドの取り付けの状態が、前記第１の紙幅の前記ロール紙に対応する取り付けの状態の場合であって、前記設定値が前記第１の紙幅よりも大きい第２の紙幅を示す値の場合、前記設定値を前記第１の紙幅を示す値とする一方、検出した前記紙ガイドの取り付けの状態が前記第２の紙幅の前記ロール紙に対応する取り付けの状態の場合、前記設定値の値にかかわらず前記設定値を変更しない
ことを特徴とする請求項１に記載の印刷装置。
【請求項３】
前記制御部は、
外部装置が送信する制御コマンドによる指示、又は、ソフトウェアスイッチ又はハードウェアスイッチの設定によって、前記記憶部が記憶する前記設定値を変更可能とし、前記第１の紙幅を示す値へ変更した前記設定値を前記外部装置へ送信することを特徴とする請求項１又は２に記載の印刷装置。
【請求項４】
サーマルヘッドと、プラテンローラーとによって前記ロール紙を挟持して前記ロール紙を搬送する搬送部を備え、
前記制御部は、
前記設定値が示す紙幅が小さいほど、前記プラテンローラーを駆動するモーターを高トルクとする
ことを特徴とする請求項１乃至３のいずれか１項に記載の印刷装置。
【請求項５】
前記制御部は、
前記印刷部に文字列を印刷させる場合、前記設定値が示す紙幅に応じて、１行に印刷する文字の桁数の態様を変更する
ことを特徴とする請求項１乃至４のいずれか１項に記載の印刷装置。
【請求項６】
ロール紙を収容可能な印刷装置であって、
前記ロール紙に印刷する印刷部と、
前記ロール紙を収容する収容部と、
前記ロール紙の紙幅に応じた取り付けの有無、又は、取り付けの位置により、前記ロール紙の前記収容部における位置を規制する紙ガイドと、
前記紙ガイドの取り付けの状態を検出するセンサーと、
前記ロール紙の紙幅を示す設定値を記憶する記憶部と、
前記記憶部が記憶する前記設定値に基づいて前記印刷部に印刷させ、また、
所定の事象をトリガーとして前記センサーが検出した前記紙ガイドの取り付けの状態が、所定の紙幅の前記ロール紙に対応する取り付けの状態の場合であって、前記設定値が前記所定の紙幅以外の紙幅を示す値の場合、前記設定値を前記所定の紙幅を示す値へと変更し、後は、前記設定値を変更しない制御部と、
を備えることを特徴とする印刷装置。
【請求項７】
ロール紙を収容可能であり、前記ロール紙に印刷する印刷部と、前記ロール紙を収容する収容部と、前記ロール紙の紙幅に応じた取り付けの有無、又は、取り付けの位置により、前記ロール紙の前記収容部における位置を規制する紙ガイドと、前記紙ガイドの取り付けの状態を検出するセンサーと、前記ロール紙の紙幅を示す設定値を記憶する記憶部と、前記記憶部が記憶する前記設定値に基づいて前記印刷部に印刷させる制御部とを備える印刷装置の制御方法であって、
前記制御部により、所定の事象をトリガーとして前記センサーが検出した前記紙ガイドの取り付けの状態が、第１の紙幅の前記ロール紙に対応する取り付けの状態の場合であって、前記設定値が前記第１の紙幅以外の紙幅を示す値の場合、前記設定値を前記第１の紙幅を示す値へと変更する一方、検出した前記紙ガイドの取り付けの状態が前記第１の紙幅以外の紙幅の前記ロール紙に対応する取り付けの状態の場合、前記設定値の値にかかわらず前記設定値を変更しないことを特徴とする印刷装置の制御方法。
【請求項８】
ロール紙を収容可能であり、前記ロール紙に印刷する印刷部と、前記ロール紙を収容する収容部と、前記ロール紙の紙幅に応じた取り付けの有無、又は、取り付けの位置により、前記ロール紙の前記収容部における位置を規制する紙ガイドと、前記紙ガイドの取り付けの状態を検出するセンサーと、前記ロール紙の紙幅を示す設定値を記憶する記憶部と、前記記憶部が記憶する前記設定値に基づいて前記印刷部に印刷させる制御部と、を備える印刷装置の制御方法であって、
前記制御部により、所定の事象をトリガーとして前記センサーが検出した前記紙ガイドの取り付けの状態が、所定の紙幅の前記ロール紙に対応する取り付けの状態の場合であって、前記設定値が前記所定の紙幅以外の紙幅を示す値の場合、前記設定値を前記所定の紙幅を示す値へと変更し、後は、前記設定値を変更しないことを特徴とする印刷装置の制御方法。
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
ロール紙を収納可能な印刷装置であって、
前記ロール紙に印刷する印刷部と、
前記印刷部の搬送方向の下流に設けられ、切残し部を残して前記ロール紙を切断する切断部と、
前記ロール紙を前記搬送方向、又は、前記搬送方向と逆の逆方向に搬送する搬送部と、
前記切断部により前記ロール紙を切断させた後、前記切残し部が引き離された状態である場合には、前記搬送部により前記ロール紙を前記逆方向に搬送させる逆走処理を実行し、前記切残し部により前記ロール紙が部分的に接続された状態である所定の場合には、前記逆走処理を実行しない制御部と、
を備えることを特徴とする印刷装置。
【請求項２】
前記印刷部による印刷、及び、前記切断部による切断を指示する制御コマンドを受信する通信部を備え、
前記所定の場合とは、
前記通信部で受信した前記制御コマンドに基づいて前記印刷部による印刷及び前記切断部による切断を行った場合以外の場合である
ことを特徴とする請求項１に記載の印刷装置。
【請求項３】
前記ロール紙を収容する収容部の開口を開閉するカバーと、前記カバーを検出するカバー検出器を備え、
前記制御部は、
前記カバー検出器が、前記カバーが閉状態となったことを検出した場合、前記搬送部により前記ロール紙を前記搬送方向に搬送させた後、前記切断部により前記ロール紙を切断させる自動切断処理を実行し、
前記所定の場合とは、
所定の事象が発生した後、前記カバー検出器が、前記カバーが閉状態となったことを検出し、前記制御部により前記自動切断処理が実行された場合である
ことを特徴とする請求項１に記載の印刷装置。
【請求項４】
前記ロール紙を検出する紙検出器を備え、
前記所定の事象とは、前記搬送部による搬送中に、前記紙検出器が、前記ロール紙がないことを検出したことである
ことを特徴とする請求項３に記載の印刷装置。
【請求項５】
前記搬送部は、サーマルヘッドと、プラテンローラーとによって前記ロール紙を挟持して前記ロール紙を搬送する構成を備え、
前記所定の事象とは、前記搬送部による搬送中に、前記カバー検出器が、前記カバーが開状態であることを検出したことである
ことを特徴とする請求項３又は４に記載の印刷装置。
【請求項６】
前記印刷部による印刷、及び、前記切断部による切断を指示する制御コマンドを受信する通信部と、前記制御コマンドを記憶する揮発性メモリーを備え、
前記所定の場合とは、
１の前記制御コマンドに基づいて前記印刷部により画像を印刷させ、前記切断部により前記ロール紙を切断させたときに、前記揮発性メモリーに未処理の他の前記制御コマンドがある場合である
ことを特徴とする請求項１に記載の印刷装置。
【請求項７】
ロール紙を収納可能な印刷装置であって、前記ロール紙に印刷する印刷部と、前記印刷部の搬送方向の下流に設けられ、切残し部を残して前記ロール紙を切断する切断部と、前記ロール紙を前記搬送方向、又は、前記搬送方向と逆の逆方向に搬送する搬送部と、を備える印刷装置の制御方法であって、
制御部により、前記切断部により前記ロール紙を切断させた後、前記切残し部が引き離された状態である場合には、前記搬送部により前記ロール紙を前記逆方向に搬送させる逆走処理を実行し、前記切残し部により前記ロール紙が部分的に接続された状態である所定の場合には、前記逆走処理を実行しないことを特徴とする印刷装置の制御方法。
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
外部装置と通信可能であり、ロール紙を収容可能な印刷装置であって、
前記ロール紙に印刷する印刷部と、
前記ロール紙が挿通可能な開口を有し、前記ロール紙を収容する収容部と、
前記収容部の前記開口を開閉するカバーと、
前記ロール紙の紙幅に応じた取り付けの有無、又は、取り付けの位置により、前記ロール紙の前記収容部における位置を規制する紙ガイドと、
前記紙ガイドの取り付けの状態を検出する紙ガイドセンサーと、
前記カバーを検出するカバーセンサーと、
前記ロール紙の紙幅を示す設定値を記憶する記憶部と、
前記外部装置と通信する通信部と、
前記記憶部が記憶する前記設定値に基づいて前記印刷部に印刷させ、また、
前記カバーセンサーにより前記カバーが開状態から閉状態へと移行したことを検出した場合に、前記紙ガイドセンサーが検出した前記紙ガイドの取り付けの状態が、第１の紙幅の前記ロール紙に対応する取り付けの状態の場合であって、前記設定値が前記第１の紙幅以外の紙幅を示す値の場合、前記設定値を前記第１の紙幅を示す値へと変更する処理、及び、変更後の前記設定値を前記外部装置に通知する処理を実行する制御部と、
を備えることを特徴とする印刷装置。
【請求項２】
前記制御部は、
前記紙ガイドの取り付けの状態が第１の紙幅の前記ロール紙に対応する取り付けの状態の場合であって、前記設定値が前記第１の紙幅以外の紙幅を示す値の場合、前記設定値を前記第１の紙幅を示す値へと変更する処理をした後、リセットを実行し、変更後の前記設定値を前記外部装置に通知する処理を実行する
ことを特徴とする請求項１に記載の印刷装置。
【請求項３】
前記制御部は、
前記リセットに伴って、前記リセットが行われたことを前記外部装置に通知し、前記外部装置からの問い合わせに応じて、前記設定値を前記外部装置に通知する
ことを特徴とする請求項２に記載の印刷装置。
【請求項４】
前記制御部は、
前記紙ガイドの取り付けの状態が前記第１の紙幅の前記ロール紙に対応する取り付けの状態の場合であって、前記設定値が前記第１の紙幅よりも大きい第２の紙幅を示す値の場合、前記設定値を前記第１の紙幅を示す値へと変更する処理、及び、変更後の前記設定値を前記外部装置に通知する処理を実行する
ことを特徴とする請求項１乃至３のいずれか１項に記載の印刷装置。
【請求項５】
前記紙ガイドが前記収容部に設けられた係止部に係止した場合に、前記紙ガイドセンサーが検出し、
前記紙ガイドが前記係止部に係止せずに、前記収容部に設けられている状態の場合に、前記カバーが開状態から閉状態へ移行した場合、前記カバーに押されて、前記紙ガイドが前記係止部に係止する
ことを特徴とする請求項１乃至４のいずれか１項に記載の印刷装置。
【請求項６】
サーマルヘッドと、プラテンローラーとによって前記ロール紙を挟持して前記ロール紙を搬送する搬送部を備え、
前記制御部は、
前記設定値が示す紙幅が小さいほど、前記プラテンローラーを駆動するモーターを高トルクとする
ことを特徴とする請求項１乃至５のいずれか１項に記載の印刷装置。
【請求項７】
外部装置と通信可能であり、ロール紙を収容可能な印刷装置であって、前記ロール紙に印刷する印刷部と、前記ロール紙が挿通可能な開口を有し、前記ロール紙を収容する収容部と、前記収容部の前記開口を開閉するカバーと、前記ロール紙の紙幅に応じた取り付けの有無、又は、取り付けの位置により、前記ロール紙の前記収容部における位置を規制する紙ガイドと、前記紙ガイドの取り付けの状態を検出する紙ガイドセンサーと、前記カバーを検出するカバーセンサーと、前記ロール紙の紙幅を示す設定値を記憶する記憶部と、前記外部装置と通信する通信部と、前記記憶部が記憶する前記設定値に基づいて前記印刷部に印刷させる制御部と、を備える印刷装置の制御方法であって、
前記制御部により、前記カバーセンサーにより前記カバーが開状態から閉状態へと移行したことを検出した場合に、前記紙ガイドセンサーが検出した前記紙ガイドの取り付けの状態が、第１の紙幅の前記ロール紙に対応する取り付けの状態の場合であって、前記設定値が前記第１の紙幅以外の紙幅を示す値の場合、前記設定値を前記第１の紙幅を示す値へと変更する処理、及び、変更後の前記設定値を前記外部装置に通知する処理を実行することを特徴とする印刷装置の制御方法。
【手続補正書】
【提出日】平成30年8月3日(2018.8.3)
【手続補正１】
【補正対象書類名】明細書
【補正対象項目名】００３６
【補正方法】変更
【補正の内容】
【００３６】
平板結晶構造を有する無機微粒子としては、例えば、親水性を有する二級クレーやデラミクレーが好適に用いられ、０．４〜２．３μｍの範囲、好ましくは０．４〜１．４μｍの範囲にメジアン径ｄ５０を有し、アスペクト比が５〜３０、好ましくは８〜２０の無機微粒子を用いることにより、ＣＭＣの連続被膜の形成を妨げずに無機微粒子によるインクバリヤー層を形成することができる。メジアン径が０．４μｍ未満、アスペクト比が５未満の無機微粒子では、充分なインクバリヤー層を形成することができない。メジアン径が２．３μｍを超える無機微粒子では、インク受容層塗料Ａ中での微粒子の沈降が容易に発生し、混合塗料の流送性等のハンドリングが低下し、品質の安定を妨げる。アスペクト比が３０を超える無機微粒子では、バリヤー性が高くなり過ぎてインク乾燥性を低下させる。
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
吐出口形成部材に形成された少なくとも２つの吐出口から液体を吐出し、前記吐出口に対応するように前記吐出口と連通する液室が形成されている液体吐出ヘッドにおいて、
前記吐出口形成部材には、前記吐出口と前記液室とを挟むように、溝が形成されており、前記吐出口の１つは、一対の前記溝の間に挟まれており、
前記吐出口形成部材の、前記液室の天井部を形成する部分の厚さをｔとし、
前記溝の深さをｈとし、
前記溝の幅をｓとし、
前記液室の前記溝に挟まれた方向における幅をＷとし、
前記液室と前記溝の１つとの間の壁の厚さをＬとすると、
ｈ／ｔ≧１．０
Ｗ／Ｌ≧４．７
Ｗ／ｓ≧０．８
の関係を満たすことを特徴とする液体吐出ヘッド。
【請求項２】
前記溝は、前記吐出口が列を成した吐出口列の中に形成されている請求項１に記載の液体吐出ヘッド。
【請求項３】
前記溝は、前記吐出口が列を成した吐出口列に沿って、前記吐出口列とは別の列を成して形成されている請求項１に記載の液体吐出ヘッド。
【請求項４】
前記溝は、それぞれの吐出口を中心として対称に形成されている請求項１ないし請求項３のいずれか１項に記載の液体吐出ヘッド。
【請求項５】
前記液室に液体を供給する供給口と、
前記供給口と前記液室とを繋ぐ供給路と、を備えている請求項１ないし請求項４のいずれか１項に記載の液体吐出ヘッド。
【請求項６】
前記吐出口形成部材の、前記吐出口に前記液室と反対側で隣接する部分に、
前記吐出口形成部材が窪んだ窪み領域が形成されている請求項１ないし請求項５のいずれか１項に記載の液体吐出ヘッド。
【請求項７】
前記窪み領域は、すり鉢状である請求項６に記載の液体吐出ヘッド。
【請求項８】
前記吐出口形成部材は、エポキシ樹脂からなる請求項１ないし請求項７のいずれか１項に記載の液体吐出ヘッド。
【請求項９】
前記溝は、前記吐出口形成部材を貫通しない請求項１ないし請求項８のいずれか１項に記載の液体吐出ヘッド。
【請求項１０】
請求項１ないし請求項９のいずれか１項に記載の液体吐出ヘッドを備えていることを特徴とする液体吐出装置。
【手続補正２】
【補正対象書類名】明細書
【補正対象項目名】０００９
【補正方法】変更
【補正の内容】
【０００９】
本発明の液体吐出ヘッドは、吐出口形成部材に形成された少なくとも２つの吐出口から液体を吐出し、前記吐出口に対応するように前記吐出口と連通する液室が形成されている液体吐出ヘッドにおいて、前記吐出口形成部材には、前記吐出口と前記液室とを挟むように、溝が形成されており、前記吐出口の１つは、一対の前記溝の間に挟まれており、前記吐出口形成部材の、前記液室の天井部を形成する部分の厚さをｔとし、前記溝の深さをｈとし、前記溝の幅をｓとし、前記液室の前記溝に挟まれた方向における幅をＷとし、前記液室と前記溝の１つとの間の壁の厚さをＬとすると、ｈ／ｔ≧１．０、Ｗ／Ｌ≧４．７、Ｗ／ｓ≧０．８、の関係を満たすことを特徴とする。
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
記録紙に印字を行うサーマルヘッドと、
前記記録紙を介して前記サーマルヘッドに当接すると共に、その回転に応じて前記記録紙を紙送りするプラテンローラと、
前記サーマルヘッドが固定されたヘッド支持部材であって、該サーマルヘッドを回動軸の周りで前記プラテンローラに向けて回動自在に支持する前記ヘッド支持部材と、
前記回動軸を介して前記ヘッド支持部材を支持するとともに、前記プラテンローラを回転自在に支持するヘッドフレームと、
前記サーマルヘッドと前記プラテンローラとの間に前記記録紙を案内するガイド部材と、
を備え、
前記サーマルヘッドと前記ガイド部材とは、前記回動軸を介して前記ヘッドフレームに対して位置決めされている印字ユニット。
【請求項２】
前記ヘッドフレームには、前記プラテンローラを回転可能に収容する収容凹部が形成されている
請求項１に記載の印字ユニット。
【請求項３】
前記回動軸には、前記プラテンローラを前記収容凹部から離脱する方向に押圧する解除レバーが回動可能に取り付けられている
請求項２に記載の印字ユニット。
【請求項４】
前記ガイド部材には、前記ガイド部材を通過する前記記録紙の有無を検出する紙検出センサが配設されている
請求項１から請求項３の何れか１項に記載の印字ユニット。
【請求項５】
前記ヘッド支持部材は、
前記サーマルヘッドが固定された支持壁と、
前記ヘッド支持壁における左右方向の両端部から各別に屈曲された一対のステーと、
前記一対のステーに形成され、前記回動軸を収容する連結凹部と、
を有している
請求項１から請求項４の何れか１項に記載の印字ユニット。
【請求項６】
請求項１から請求項５の何れか１項に記載の印字ユニットと、
前記印字ユニットが組み付けられたケーシングと、を備えているサーマルプリンタ。
【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
複数のラウンドにわたって大入賞口が開放されると共に、前記ラウンドにおいて、予め定められた上限数の遊技球が前記大入賞口に入球すると、当該ラウンドが終了する特別遊技を行う弾球遊技機において、
前記特別遊技における最後ではない前記ラウンドにて、遊技球の前記大入賞口への入球に起因して継続抽選を行うと共に、当該ラウンドにて前記継続抽選で当選すると、それ以降、当該ラウンドでは前記継続抽選を行わない抽選手段と、
前記継続抽選の結果を記憶する記憶手段と、
前記特別遊技を行う手段であって、前記特別遊技における最後ではない前記ラウンドでは、当該ラウンドで行われた前記継続抽選で当選したことに起因して次の前記ラウンドに進み、前記継続抽選で当選しない場合には次の前記ラウンドに進まず当該特別遊技を終了する特別遊技手段と、
前記記憶手段により記憶された内容に基づき、終了した前記ラウンドにて行われた前記継続抽選の結果を全て報知する報知手段と、
を備えることを特徴とする弾球遊技機。
【請求項２】
請求項１に記載の弾球遊技機において、
前記報知手段は、前記記憶手段により記憶された内容に基づき、連続的に行われた複数の前記特別遊技におけるそれぞれの前記ラウンドにおいて行われた全ての前記継続抽選の結果を表示すること、
を特徴とする弾球遊技機。
【手続補正２】
【補正対象書類名】明細書
【補正対象項目名】０００７
【補正方法】変更
【補正の内容】
【０００７】
上記課題に鑑みてなされた請求項１に係る発明は、複数のラウンドにわたって大入賞口が開放されると共に、ラウンドにおいて、予め定められた上限数の遊技球が大入賞口に入球すると、当該ラウンドが終了する特別遊技を行う弾球遊技機において、特別遊技における最後ではないラウンドにて、遊技球の大入賞口への入球に起因して継続抽選を行うと共に、当該ラウンドにて継続抽選で当選すると、それ以降、当該ラウンドでは継続抽選を行わない抽選手段と、継続抽選の結果を記憶する記憶手段と、特別遊技を行う手段であって、特別遊技における最後ではないラウンドでは、当該ラウンドで行われた継続抽選で当選したことに起因して次のラウンドに進み、継続抽選で当選しない場合には次のラウンドに進まず当該特別遊技を終了する特別遊技手段と、記憶手段により記憶された内容に基づき、終了したラウンドにて行われた継続抽選の結果を全て報知する報知手段と、を備えることを特徴とする弾球遊技機に関するものである。
【手続補正３】
【補正対象書類名】明細書
【補正対象項目名】０００９
【補正方法】変更
【補正の内容】
【０００９】
また、各ラウンドに対応する継続抽選で当選すると、それ以降、同一のラウンドに対応する継続抽選が行われなくなる。このため、処理負荷を抑制できる。
なお、抽選手段は、最後ではないラウンドにて、遊技球が大入賞口に入球したことに起因して乱数を抽出し、該乱数に基づき継続抽選を行い、報知手段は、継続抽選に係る乱数を表示することで、該継続抽選の結果を報知しても良い。
【手続補正４】
【補正対象書類名】明細書
【補正対象項目名】００１０
【補正方法】変更
【補正の内容】
【００１０】
このような構成によれば、継続抽選の結果をより詳細に把握できる。
また、請求項２に記載されているように、報知手段は、記憶手段により記憶された内容に基づき、連続的に行われた複数の特別遊技におけるそれぞれのラウンドにおいて行われた全ての継続抽選の結果を表示しても良い。
【手続補正５】
【補正対象書類名】明細書
【補正対象項目名】００１２
【補正方法】変更
【補正の内容】
【００１２】
また、特別遊技手段は、特別遊技における最後ではないラウンドにおいて、継続抽選で当選したことに起因して次のラウンドに進むことを決定すると、大入賞口を閉鎖しても良い。
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
複数のラウンドにわたって大入賞口が開放されると共に、前記ラウンドにおいて、予め定められた上限数の遊技球が前記大入賞口に入球すると、当該ラウンドでは前記大入賞口が閉鎖された状態になる特別遊技を行う弾球遊技機において、
前記ラウンドで前記大入賞口に入球した遊技球の数をカウントするカウント手段と、
前記ラウンドにおいて、前記カウント手段によりカウントされた遊技球のうちの少なくとも一部を停留すると共に、前記カウント手段によりカウントされた数が前記上限数に達した後、前記停留がなされた遊技球を解放する停留手段と、
前記特別遊技における最後ではない前記ラウンドにて、前記停留から開放された遊技球が予め定められた領域に進入したことに応じて継続抽選を行う抽選手段と、
前記継続抽選の結果を記憶する記憶手段と、
前記特別遊技を行う手段であって、前記ラウンドにおいて、前記カウント手段によりカウントされた遊技球の数が前記上限数に達すると、前記大入賞口を閉鎖すると共に、前記特別遊技における最後ではない前記ラウンドでは、当該ラウンドで行われた前記継続抽選で当選したことに起因して次の前記ラウンドに進み、前記継続抽選で当選しない場合には次の前記ラウンドに進まず当該特別遊技を終了する特別遊技手段と、
前記記憶手段により記憶された内容に基づき、終了した前記ラウンドにて行われた前記継続抽選の結果を全て報知する報知手段と、
を備えることを特徴とする弾球遊技機。
【請求項２】
請求項１に記載の弾球遊技機において、
前記報知手段は、前記記憶手段により記憶された内容に基づき、連続的に行われた複数の前記特別遊技におけるそれぞれの前記ラウンドにおいて行われた全ての前記継続抽選の結果を表示すること、
を特徴とする弾球遊技機。
【手続補正２】
【補正対象書類名】明細書
【補正対象項目名】０００７
【補正方法】変更
【補正の内容】
【０００７】
上記課題に鑑みてなされた請求項１に係る発明は、複数のラウンドにわたって大入賞口が開放されると共に、ラウンドにおいて、予め定められた上限数の遊技球が前記大入賞口に入球すると、当該ラウンドでは大入賞口が閉鎖された状態になる特別遊技を行う弾球遊技機において、ラウンドで大入賞口に入球した遊技球の数をカウントするカウント手段と、ラウンドにおいて、カウント手段によりカウントされた遊技球のうちの少なくとも一部を停留すると共に、カウント手段によりカウントされた数が上限数に達した後、停留がなされた遊技球を解放する停留手段と、特別遊技における最後ではないラウンドにて、停留から開放された遊技球が予め定められた領域に進入したことに応じて継続抽選を行う抽選手段と、継続抽選の結果を記憶する記憶手段と、特別遊技を行う手段であって、ラウンドにおいて、カウント手段によりカウントされた遊技球の数が前記上限数に達すると、大入賞口を閉鎖すると共に、特別遊技における最後ではないラウンドでは、当該ラウンドで行われた継続抽選で当選したことに起因して次のラウンドに進み、継続抽選で当選しない場合には次のラウンドに進まず当該特別遊技を終了する特別遊技手段と、記憶手段により記憶された内容に基づき、終了したラウンドにて行われた前記継続抽選の結果を全て報知する報知手段と、を備えることを特徴とする弾球遊技機に関するものである。
【手続補正３】
【補正対象書類名】明細書
【補正対象項目名】０００９
【補正方法】変更
【補正の内容】
【０００９】
さらに、ラウンド中に大入賞口に入球した遊技球を一旦停留すると共に、入球数が上限数に達した後、停留された遊技球を解放し、解放された遊技球が所定の領域に進入したことに応じて継続抽選が行われる。
【手続補正４】
【補正対象書類名】明細書
【補正対象項目名】００１３
【補正方法】変更
【補正の内容】
【００１３】
なお、抽選手段は、最後ではないラウンドにて、遊技球が大入賞口に入球したことに起因して乱数を抽出し、該乱数に基づき継続抽選を行い、報知手段は、継続抽選に係る乱数を表示することで、該継続抽選の結果を報知しても良い。
【手続補正５】
【補正対象書類名】明細書
【補正対象項目名】００１４
【補正方法】変更
【補正の内容】
【００１４】
このような構成によれば、継続抽選の結果をより詳細に把握できる。
また、請求項２に記載されているように、報知手段は、記憶手段により記憶された内容に基づき、連続的に行われた複数の特別遊技におけるそれぞれのラウンドにおいて行われた全ての継続抽選の結果を表示しても良い。
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
風呂の使用開始の予定時刻を取得する予定時刻取得部と、
気温または季節を認識可能な情報を取得する情報取得部と、
前記風呂に設置されている浴室乾燥機の運転指示を受けた場合に、前記予定時刻取得部が取得した前記予定時刻と前記情報取得部が取得した前記情報に基づいて、前記浴室乾燥機を稼働させる時間帯を設定する設定部と、
前記設定に従って稼働するように前記浴室乾燥機に指示する指示部と、
を有する
ことを特徴とする浴室乾燥機制御装置。
【請求項２】
前記設定部は、前記情報に基づいて、前記浴室乾燥機を稼働させる時間の長さをさらに調整する
ことを特徴とする請求項１に記載の浴室乾燥機制御装置。
【請求項３】
前記情報取得部は、前記風呂の設置場所の地域の、前記運転指示を受けてから前記予定時刻までの所定の気象要素の予報をインターネット上の所定のＷｅｂサイトにアクセスして入手し、
前記設定部は、前記所定の気象要素の予報を加味して、前記設定を行う
ことを特徴とする請求項１または２に記載の浴室乾燥機制御装置。
【請求項４】
前記情報取得部は、前記風呂の設置場所の地域の、前記運転指示を受けてから前記予定時刻までの花粉の飛散量に関する予報をインターネット上の所定のＷｅｂサイトにアクセスして入手し、
前記設定部は、前記花粉の飛散量に関する予報を加味して、前記設定を行う
ことを特徴とする請求項１乃至３のいずれか１つに記載の浴室乾燥機制御装置。
【請求項５】
前記設定部は、前記花粉の飛散量に関する予報に基づいて、前記浴室乾燥機の運転を換気しながら行うか否かを設定する
ことを特徴とする請求項４に記載の浴室乾燥機制御装置。
【請求項６】
前記設定部は、前記浴室乾燥機を稼働させる時間帯の終了時が前記予定時刻の手前になり、かつ、夏には前記終了時から前記予定時刻までの時間が冬より長くなるように、前記時間帯を設定する
ことを特徴とする請求項１乃至５のいずれか１つに記載の浴室乾燥機制御装置。
【請求項７】
請求項１乃至６のいずれか１つに記載の浴室乾燥機制御装置の機能を有する浴室乾燥機。
【請求項８】
請求項７に記載の浴室乾燥機の機能を有する給湯暖房機。
【請求項９】
携帯型情報処理端末を、
風呂の使用開始の予定時刻を取得する予定時刻取得部、
気温または季節を認識可能な情報を取得する情報取得部、
前記風呂に設置されている浴室乾燥機の運転指示を受けた場合に、前記予定時刻取得部が取得した前記予定時刻と前記情報取得部が取得した前記情報に基づいて、前記浴室乾燥機を稼働させる時間帯を設定する設定部、
前記設定に従って稼働するように前記浴室乾燥機に指示する指示部
として機能させる
ことを特徴とするプログラム。
【請求項１０】
前記設定部は、前記情報に基づいて、前記浴室乾燥機を稼働させる時間の長さをさらに設定する
ことを特徴とする請求項９に記載のプログラム。
【請求項１１】
前記情報取得部は、前記風呂の設置場所の地域の、前記運転指示を受けてから前記予定時刻までの所定の気象要素の予報をインターネット上の所定のＷｅｂサイトにアクセスして入手し、
前記設定部は、前記所定の気象要素の予報を加味して、前記設定を行う
ことを特徴とする請求項９または１０に記載のプログラム。
【請求項１２】
前記情報取得部は、前記風呂の設置場所の地域の、前記運転指示を受けてから前記予定時刻までの花粉の飛散量に関する予報をインターネット上の所定のＷｅｂサイトにアクセスして入手し、
前記設定部は、前記花粉の飛散量に関する予報を加味して、前記設定を行う
ことを特徴とする請求項９乃至１１のいずれか１つに記載のプログラム。
【請求項１３】
前記設定部は、前記花粉の飛散量に関する予報に基づいて、前記浴室乾燥機の運転を換気しながら行うか否かを設定する
ことを特徴とする請求項１２に記載のプログラム。
【請求項１４】
前記設定部は、前記浴室乾燥機を稼働させる時間帯の終了時が前記予定時刻の手前になり、かつ、夏には前記終了時から前記予定時刻までの時間が冬より長くなるように、前記時間帯を設定する
ことを特徴とする請求項９乃至１３のいずれか１つに記載のプログラム。
【請求項１５】
前記携帯型情報処理端末は、全地球測位システムによって自端末の位置を認識する機能を備え、
前記情報取得部は、前記全地球測位システムによって認識した自端末の位置の履歴に基づいて、前記風呂の設置場所を特定する
ことを特徴とする請求項９乃至１４のいずれか１つに記載のプログラム。
【請求項１６】
前記浴室乾燥機は、浴室乾燥機能を備えた給湯暖房機に含まれ、
前記携帯型情報処理端末を、前記給湯暖房機のリモートコントローラとして機能させる
ことを特徴とする請求項９乃至１５のいずれか１つに記載のプログラム。
【請求項１７】
請求項９乃至１５のいずれか１つに記載のプログラムが稼働している携帯型情報処理端末から受信した前記指示に従って稼働する
ことを特徴とする浴室乾燥機。
【請求項１８】
請求項１６に記載のプログラムが稼働している携帯型情報処理端末から受信した前記指示に従って浴室乾燥機能を稼働させる
ことを特徴とする給湯暖房機。
【手続補正２】
【補正対象書類名】明細書
【補正対象項目名】００１８
【補正方法】変更
【補正の内容】
【００１８】
［４］前記情報取得部は、前記風呂の設置場所の地域の、前記運転指示を受けてから前記予定時刻までの花粉の飛散量に関する予報をインターネット上の所定のＷｅｂサイトにアクセスして入手し、
前記設定部は、前記花粉の飛散量に関する予報を加味して、前記設定を行う
ことを特徴とする［１］乃至［３］のいずれか１つに記載の浴室乾燥機制御装置。
【手続補正３】
【補正対象書類名】明細書
【補正対象項目名】００２６
【補正方法】変更
【補正の内容】
【００２６】
［９］携帯型情報処理端末を、
風呂の使用開始の予定時刻を取得する予定時刻取得部、
気温または季節を認識可能な情報を取得する情報取得部、
前記風呂に設置されている浴室乾燥機の運転指示を受けた場合に、前記予定時刻取得部が取得した前記予定時刻と前記情報取得部が取得した前記情報に基づいて、前記浴室乾燥機を稼働させる時間帯を設定する設定部、
前記設定に従って稼働するように前記浴室乾燥機に指示する指示部
として機能させる
ことを特徴とするプログラム。
【手続補正４】
【補正対象書類名】明細書
【補正対象項目名】００２９
【補正方法】変更
【補正の内容】
【００２９】
［１２］前記情報取得部は、前記風呂の設置場所の地域の、前記運転指示を受けてから前記予定時刻までの花粉の飛散量に関する予報をインターネット上の所定のＷｅｂサイトにアクセスして入手し、
前記設定部は、前記花粉の飛散量に関する予報を加味して、前記設定を行う
ことを特徴とする［９］乃至［１１］のいずれか１つに記載のプログラム。
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
所定の遊技を実行可能な遊技機において、
主制御手段を備え、
前記主制御手段は、遊技価値の付与に関する所定情報を表示するための複数の表示部を備え、
前記複数の表示部は、第1表示領域と前記第1表示領域とは異なる第２表示領域とで構成されていることを特徴とする遊技機。
【手続補正２】
【補正対象書類名】明細書
【補正対象項目名】０００２
【補正方法】変更
【補正の内容】
【０００２】
遊技盤の表面に遊技球の流下方向や速度を変化させる風車や多数の遊技釘が設けられている遊技機が提案されている。
【手続補正３】
【補正対象書類名】明細書
【補正対象項目名】０００５
【補正方法】変更
【補正の内容】
【０００５】
遊技機の外部から入賞に関する認識が困難なため、払出率の把握が難しかった。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明は、上記実情を鑑みてなされたものであり、入賞領域を有する遊技機における入賞に関する認識を高めることを目的とする。
【手続補正６】
【補正対象書類名】明細書
【補正対象項目名】０００８
【補正方法】変更
【補正の内容】
【０００８】
（手段Ａ）上記目的を達成するため、本発明の遊技機は、所定の遊技を実行可能な遊技機において、主制御手段を備え、前記主制御手段は、遊技価値の付与に関する所定情報を表示するための複数の表示部を備え、前記複数の表示部は、第1表示領域と前記第1表示領域とは異なる第２表示領域とで構成されていることを特徴とする遊技機。
（１）上記目的を達成するため、本発明の他の遊技機は、遊技媒体（遊技球）が進入可能な始動入賞領域（第１始動入賞口，第２始動入賞口）と一般入賞領域（第１〜第４一般入賞口５０Ａ〜５０Ｄ）を有する遊技機（パチンコ遊技機１）であって、前記始動入賞領域（第１始動入賞口，第２始動入賞口）に遊技媒体が進入した場合に可変表示（第１特図の可変表示，第２特図の可変表示，飾り図柄の可変表示）を実行する可変表示手段（第１特別図柄表示装置４Ａ，第２特別図柄表示装置４Ｂ，画像表示装置５）と、前記一般入賞領域に遊技媒体が進入した場合に特定価値（賞球，点数）を付与する付与手段（遊技制御用マイクロコンピュータ１００）と、前記一般入賞領域に遊技媒体が進入した後の特定期間（一般入賞から１分間，２分間，又は５分間）において所定条件（第１始動入賞口又は第２始動入賞口への有効始動入賞，リーチ状態の成立）が成立した場合に、特定演出（特定演出Ｆ（先読み予告演出），特定演出Ｇ（変動結果予告演出））を実行する演出実行手段（演出制御用ＣＰＵ１２０）と、を備えることを特徴とする遊技機（第４７演出形態〜第４９演出形態のパチンコ遊技機１）である。これによれば、一般入賞領域に遊技媒体が進入した後の特定期間において所定条件が成立するか否かに興味を持たせることができ、一般入賞領域に遊技媒体が進入してから特定演出が実行されるまでの興趣を高めることができる。